(57)【要約】【課題】本発明は、リールに組み込まれる各種機能部材の抜け止め支持をガタ付き無く行ない、各種機能部材の性能が安定して充分に発揮される魚釣用リールを提供する。【解決手段】本発明の魚釣用リールは、リール本体の構成部材の内周又は外周に軸受１０のような機能部材を嵌め込み、構成部材に形成した環状溝３ｃに係止部材１５を装着することで機能部材を抜け止め係止している。そして、構成部材に形成される環状溝３ｃの軸方向周面形状を、係止部材１５が機能部材を軸方向に押圧作用するように径寸法変化させたことを特徴とする。【選択図】    図２
2004248625.tif 000002
【特許請求の範囲】
【請求項１】
リール本体の構成部材の内周又は外周に各種機能部材を嵌め込み、前記構成部材に形成した環状溝に係止部材を装着することで前記各種機能部材を抜け止め係止している魚釣用リールにおいて、
前記構成部材に形成される環状溝の軸方向周面形状を、係止部材が前記各種機能部材を軸方向に押圧作用するように径寸法変化させたことを特徴とする魚釣用リール。
【請求項２】
前記環状溝に、前記係止部材を抜け止めする係止段部を形成したことを特徴とする請求項１に記載の魚釣用リール。
【発明の詳細な説明】
【０００１】
【発明の属する技術分野】
本発明は、リール本体に設けたハンドルの回転操作により釣糸案内部材を介して釣糸をスプールに巻回する魚釣用リールに関し、詳細には、魚釣用リールの各種機能部材を安定して支持する支持構造を備えた魚釣用リールに関する。
【０００２】
【従来の技術】
通常、魚釣用リールは、リール本体に、巻取り駆動機構、ドラグ機構、釣糸案内機構等を構成する各種の機能部材を組み込んでいる。この場合、各種機能部材の中には、それに関連する他の構成部材に対して着脱可能に抜け止めされるものがあり、このような抜け止め支持は、ある機能部材を相手側の構成部材の支持部に装着した後、Ｃ型リング、多角形状リング等の止め輪で抜け止め係止するのが一般的となっている（例えば、特許文献１，２，３参照）。
【０００３】
すなわち、これらの公知文献に見られるように、各種機能部材（ドラグ構成部材、発音部材、軸受等）を相手側構成部材に嵌合した後、相手側構成部材の内周又は外周に形成された環状溝に止め輪を嵌着すると、止め輪は環状溝内に嵌った状態で径方向に突出していることから、各種機能部材は軸方向に対して抜け止め支持される。
【０００４】
【特許文献１】
実公昭５５−１７８２４号公報（第５図，第７図）
【特許文献２】
実公平２−４６３００号公報（第１図，第３図）
【特許文献３】
実開平５−２０５６１号公報（図９）。
【０００５】
【発明が解決しようとする課題】
上記した支持構造では、止め輪の断面の径を環状溝の幅よりも小さく設定しておかないと、止め輪が環状溝内に嵌り込むことができず抜け止め機能が得られないことから、必然的に、止め輪の断面の径は、環状溝の幅よりも小さく設定しておかなくてはならない。このように従来の抜け止め支持構造は、止め輪を環状溝内に遊度をもって嵌める構成であるため、止め輪自体が環状溝内で軸方向にガタ付いてしまい、この結果、各種機能部材をガタ付き無く軸方向規制することが難しく、各種機能部材の性能を安定して充分に発揮できないという問題がある。
【０００６】
本発明は、上述した問題に基づいて成されたものであり、リールに組み込まれる各種機能部材の抜け止め支持をガタ付き無く行ない、各種機能部材の性能が安定して充分に発揮される魚釣用リールを提供することを目的とする。
【０００７】
【課題を解決するための手段】
上記した目的を達成するために、本発明に係る魚釣用リールは、リール本体の構成部材の内周又は外周に各種機能部材を嵌め込み、前記構成部材に形成した環状溝に係止部材を装着することで前記各種機能部材を抜け止め係止したものにおいて、前記構成部材に形成される環状溝の軸方向周面形状を、係止部材が前記各種機能部材を軸方向に押圧作用するように径寸法変化させたことを特徴としている。
【０００８】
上記した構成によれば、各種機能部材を抜け止め係止する係止部材は、径寸法が変化する環状溝のいずれかの位置に当て付いた状態で各種機能部材を押圧することから、そのスラスト力によって軸方向にガタ付くことはなく、これにより各種機能部材は、安定した状態で抜け止め支持される。
【０００９】
【発明の実施の形態】
以下、本発明の実施形態について図面を参照しながら説明する。
【００１０】
図１及び図２は、本発明に係る魚釣用リールの一実施形態を示しており、図１は、スピニングリールを示した正面図、図２は、釣糸案内部材の支持構造を示す図である。上述したように、上記した各種機能部材は、このような魚釣用リールの各所に組み込まれており、この実施形態においては、各種機能部材を、釣糸案内部材（ラインローラ）を回転可能に支持する軸受として説明する。
【００１１】
スピニングリール１には、前後動可能に支持されたスプール２に対し、釣糸を平行に巻回すべく、スプール２の前後動と同期してその回りを回転する釣糸案内部材３が設けられている。この釣糸案内部材３は、円筒状に形成されてその外周面３ａに釣糸が摺接して案内されるようになっており、ベール５ａを保持し釣糸案内部材３に釣糸を誘導するラインスライダー５とベール支持部材７との間に回転可能に支持されるようになっている。すなわち、釣糸案内部材３は、前記ラインスライダー５に形成された雌ネジ部５ｂにベール支持部材７側から螺入される止めネジ９上に、軸受１０を介在して回転可能に支持されている。
【００１２】
この場合、軸受１０のラインスライダー側の内輪側は、ラインスライダー５の円筒基部５ｃにワッシャ１２を介在して当て付けられ、外輪側は、釣糸案内部材３の内周面に形成された段部３ｂに当て付けられる。また、軸受１０のベール支持部材側の内輪側は、ベール支持部材７の円筒基部７ａに当て付けられ、外輪側は、釣糸案内部材３の内周面に形成された環状溝３ｃに装着される係止部材１５（例えばリング状に形成された止め輪等）に当て付けられ、抜け止めされる。
【００１３】
上記した構成において、環状溝３ｃは、軸受１０が軸方向に抜ける方向に移行するに連れて径寸法が変化する（小径化）ように形成されており、係止部材１５が軸受１０を軸方向に押圧作用するようになっている。すなわち、環状溝３ｃの軸方向周面形状は、テーパ状に形成されており、係止部材１５は、径寸法が変化する環状溝３ｃのいずれかの位置に当て付くと、それに伴って発生するスラスト力により軸受１０を押圧するようになっている。
【００１４】
このような構成により、係止部材１５が軸方向にガタ付くことが無くなり、軸受１０は、軸方向にガタ付き無く安定した状態で抜け止め支持され、その性能を安定して充分に発揮することが可能となる。また、このような抜け止め支持構造では、環状溝３ｃと係止部材１５との間で厳密な寸法管理をする必要はない。
【００１５】
なお、上記した環状溝３ｃの細径化された先端側に、図３に示すように、径方向に突出する係止段部３ｄを形成しておくことが好ましい。このような係止段部３ｄを形成しておくことで、係止部材１５が外れることを確実に防止することが可能となる。
【００１６】
上記したような機能部材の抜け止め支持構造は、リールの適所に適用することが可能である。例えば、図４に示すように、スプール２の前端面に装着されるドラグユニット２０における制動部材２１のスリーブ部分２１ａと、スプール軸２ａに回り止め固定される筒軸２３との間に介在される軸受（機能部材）２５を抜け止め保持するにあたり、筒軸２３の外周に形成される環状溝２３ａを、上記した構成のように、軸受２５が軸方向に抜ける方向に移行するに連れて径寸法が変化する（大径化）ようにテーパ状に形成しておき、ここに係止部材１５を装着しても良い。
【００１７】
このような構成においても、係止部材１５は、径寸法が変化する環状溝２３ａのいずれかの位置に当て付いた状態で軸受２５を押圧するため、軸方向にガタ付くことは無く、これにより、軸受２５は、安定した状態で抜け止め支持され、その性能を安定して充分に発揮することが可能となる。
【００１８】
また、上記したような機能部材の抜け止め支持構造は、スピニングリールに限られず、図５に示すような両軸受リールにおいても適用することが可能である。例えば、スプール３０が装着されたスプール軸３１の左端部と、左側板３２ａの内側に形成された支持部３３との間に軸受３５を支持するにあたり、支持部３３の内周に形成される環状溝３３ａを、上記した構成のように、軸受３５が軸方向に抜ける方向に移行するに連れて径寸法が変化する（小径化）ようにテーパ状に形成しておき、ここに係止部材１５を装着しても良い。或いは、ピニオン４１の右端部と、右側板３２ｂに装着される支持部材４３との間に軸受４５を支持するにあたり、支持部材４３の内周に形成される環状溝４３ａを、上記した構成のように、軸受４５が軸方向に抜ける方向に移行するに連れて径寸法が変化する（小径化）ようにテーパ状に形成しておき、ここに係止部材１５を装着しても良い。
【００１９】
以上のように、上記した各種の機能部材を抜け止め支持する構成は、様々な魚釣用リールの各所に適用することが可能である。また、環状溝の径方向の変化形状は、図に示したテーパ状以外にも、Ｒ形状にする等、抜け止めされる機能部材を係止部材を介して軸方向に押圧できるように構成されれば、適宜変形することが可能である。
【００２０】
【発明の効果】
以上、本発明によれば、リールに組み込まれる各種機能部材の抜け止め支持がガタ付き無く行なえるようになり、各種機能部材の性能が安定して充分に発揮される魚釣用リールが得られる。
【図面の簡単な説明】
【図１】本発明の一実施形態を示す図であり、スピニングリールの構成を示す正面図。
【図２】図１に示すスピニングリールにおいて、釣糸案内部材の支持構造を示す図。
【図３】釣糸案内部材の支持構造の変形例を示す図。
【図４】図１に示すスピニングリールにおいて、ドラグユニットの制動部材の支持構造を示す図。
【図５】本発明の別の実施形態を示しており、両軸受リールの内部構成を示す平面図。
【符号の説明】
１  リール本体
３ｃ，２３ａ，３３ａ，４３ａ  環状溝
１０，２５，３５，４５  軸受（機能部材）
１５  係止部材
【図１】
2004248625.tif 000003
【図２】
2004248625.tif 000004
【図３】
2004248625.tif 000005
【図４】
2004248625.tif 000006
【図５】
2004248625.tif 000007